(57)【特許請求の範囲】
【請求項１】
複数の記録速度において、光記録担体にデータを記録している間に可変利得光検出回路の電力消費を低減する方法であって、前記可変利得光検出回路は主スポット信号と少なくとも１つの副スポット信号を出力する出力を有し、前記主スポット及び前記副スポットは、光ビームを主ビームと少なくとも１つの副ビームに分離し及び前記光記録担体上で前記主ビームを前記主スポットで合焦し前記少なくとも１つの副ビームを前記少なくとも１つの副スポットで合焦することにより形成され、前記方法は：
前記主スポット信号を第１のカットオフ周波数を有する第１の平均回路で平均化する段階；及び
前記副スポット信号を前記第１のカットオフ周波数より低い第２のカットオフ周波数を有する第２の平均回路で平均化する段階；
を有し、
前記副スポット信号を前記第２の平均回路で平均化する段階は、前記第２の平均回路で用いられるトランジスタを低バイアス電流で駆動する段階であって、前記低バイアス電流は、前記第１の平均回路で用いられるトランジスタを駆動するバイアス電流よりも低い、段階を有し、
前記主スポット信号及び前記副スポット信号は、前記光記録担体にデータを記録している間にサンプリングされない、方法。
【請求項２】
複数の記録速度において、光記録担体にデータを記録している間に可変利得光検出回路の電力消費を低減する方法であって、前記可変利得光検出回路は主スポット信号と少なくとも１つの副スポット信号を出力する出力を有し、前記主スポット及び前記副スポットは、光ビームを主ビームと少なくとも１つの副ビームに分離し及び前記光記録担体上で前記主ビームを前記主スポットで合焦し前記少なくとも１つの副ビームを前記少なくとも１つの副スポットで合焦することにより形成され、前記方法は：
前記主スポット信号を第１のカットオフ周波数を有する第１の平均回路で平均化する段階；及び
前記副スポット信号を前記第１のカットオフ周波数より低い第２のカットオフ周波数を有する第２の平均回路で平均化する段階；
を有し、
前記副スポット信号を前記第２の平均回路で平均化する段階は、前記第２の平均回路で用いられる大面積トランジスタを駆動する段階であって、前記大面積トランジスタは、前記第１の平均回路で用いられるトランジスタよりも低い電流密度で動作する、段階を有し、
前記主スポット信号及び前記副スポット信号は、前記光記録担体にデータを記録している間にサンプリングされない、方法。
【請求項３】
前記方法は、前記光記録担体の種類及び前記データ記録速度に基づき前記可変利得光検出回路の利得値を選択する段階、を有する請求項１又は２記載の方法。
【請求項４】
前記方法は、主スポット信号及び副スポット信号を正規化する段階、を更に有する請求項１乃至３の何れか一項記載の方法。
【請求項５】
前記方法は、８セグメント可変利得光検出回路又は１２セグメント可変利得光検出回路で実行される、請求項１乃至４の何れか一項記載の方法。
【請求項６】
可変利得光検出回路であって、主スポット信号と少なくとも１つの副スポット信号を出力する出力を有し、前記主スポット及び前記副スポットは、光ビームを主ビームと少なくとも１つの副ビームに分離し、複数の記録速度において、光記録担体にデータを記録している間に、光記録担体上で前記主ビームを前記主スポットで合焦し前記少なくとも１つの副ビームを前記少なくとも１つの副スポットで合焦することにより形成され、前記可変利得光検出回路は：
第１のカットオフ周波数を有し前記主スポット信号を平均化する第１の平均回路；及び
前記第１のカットオフ周波数より低い第２のカットオフ周波数を有し前記副スポット信号を平均化する第２の平均回路；
を有し、
前記第２の平均回路は、前記第１の平均回路で用いられるトランジスタを駆動するバイアス電流よりも低いバイアス電流で駆動可能なトランジスタを有し、
前記主スポット信号及び前記副スポット信号は、前記光記録担体にデータを記録している間にサンプリングされない、可変利得光検出回路。
【請求項７】
可変利得光検出回路であって、主スポット信号と少なくとも１つの副スポット信号を出力する出力を有し、前記主スポット及び前記副スポットは、光ビームを主ビームと少なくとも１つの副ビームに分離し、複数の記録速度において、光記録担体にデータを記録している間に、光記録担体上で前記主ビームを前記主スポットで合焦し前記少なくとも１つの副ビームを前記少なくとも１つの副スポットで合焦することにより形成され、前記可変利得光検出回路は：
第１のカットオフ周波数を有し前記主スポット信号を平均化する第１の平均回路；及び
前記第１のカットオフ周波数より低い第２のカットオフ周波数を有し前記副スポット信号を平均化する第２の平均回路；
を有し、
前記第２の平均回路は、前記第１の平均回路で用いられるトランジスタよりも低い電流密度で動作する大面積トランジスタを有し、
前記主スポット信号及び前記副スポット信号は、前記光記録担体にデータを記録している間にサンプリングされない、可変利得光検出回路。
【請求項８】
ディスク・ドライブであって：
光ビームを生成する光生成器と、前記光ビームを主ビームと少なくとも１つの副ビームに分離するレンズ・システムと、光記録担体上で前記主ビームを前記主スポットで合焦し前記副ビームを前記少なくとも１つの副スポットで合焦する合焦部とを有し、前記光記録担体のトラックを走査する光学システム；及び
主スポット信号と副スポット信号を出力する出力を有する可変利得光検出回路；を有し、
前記主スポット及び前記副スポットは、前記光ビームを前記主ビームと少なくとも１つの副ビームに分離し、複数の記録速度において、光記録担体にデータを記録している間に、前記光記録担体上で前記主ビームを前記主スポットで合焦し前記副ビームを前記少なくとも１つの副スポットで合焦することにより形成され；
前記可変利得光検出回路は：
第１のカットオフ周波数を有し前記主スポット信号を平均化する第１の平均回路；及び
前記第１のカットオフ周波数より低い第２のカットオフ周波数を有し前記副スポット信号を平均化する第２の平均回路；を有し、
前記第２の平均回路は、前記第１の平均回路で用いられるトランジスタを駆動するバイアス電流よりも低いバイアス電流で駆動可能なトランジスタを有し、
前記主スポット信号及び前記副スポット信号は、前記光記録担体にデータを記録している間にサンプリングされない、ディスク・ドライブ。
【請求項９】
ディスク・ドライブであって：
光ビームを生成する光生成器と、前記光ビームを主ビームと少なくとも１つの副ビームに分離するレンズ・システムと、光記録担体上で前記主ビームを前記主スポットで合焦し前記副ビームを前記少なくとも１つの副スポットで合焦する合焦部とを有し、前記光記録担体のトラックを走査する光学システム；及び
主スポット信号と副スポット信号を出力する出力を有する可変利得光検出回路；を有し、
前記主スポット及び前記副スポットは、前記光ビームを前記主ビームと少なくとも１つの副ビームに分離し、複数の記録速度において、光記録担体にデータを記録している間に、前記光記録担体上で前記主ビームを前記主スポットで合焦し前記副ビームを前記少なくとも１つの副スポットで合焦することにより形成され；
前記可変利得光検出回路は：
第１のカットオフ周波数を有し前記主スポット信号を平均化する第１の平均回路；及び
前記第１のカットオフ周波数より低い第２のカットオフ周波数を有し前記副スポット信号を平均化する第２の平均回路；を有し、
前記第２の平均回路は、前記第１の平均回路で用いられるトランジスタよりも低い電流密度で動作する大面積トランジスタを有し、
前記主スポット信号及び前記副スポット信号は、前記光記録担体にデータを記録している間にサンプリングされない、ディスク・ドライブ。
【発明の詳細な説明】
【技術分野】
【０００１】  本発明は、光ディスク・ドライブに関し、より詳細には光ディスクの光検出回路に関する。
【背景技術】
【０００２】  Ｔｏｒｕ他（特許文献１）は、光検出回路を有する光ディスク装置を開示している。光検出回路からの主スポット及び副スポット出力信号は、光学記録担体にデータを記録している間にサンプリングされる。一般に、サンプリングは、サンプリングされた信号の高速処理を必要とする。これは、光検出回路の電力消費を増大させる。【特許文献１】欧州特許第１５２８５４３号明細書
【発明の開示】
【発明が解決しようとする課題】
【０００３】  光検出回路の電力消費を低減する方法は有利である。また、消費電力の少ない光検出回路も有利である。また、消費電力の少ないディスク・ドライブも有利である。
【課題を解決するための手段】
【０００４】 複数の記録速度で光記録担体にデータを記録している間に、可変利得光検出回路の電力消費を低減する方法が記載される。可変利得光検出回路は、主スポット信号及び少なくとも１つの副スポット信号を出力する出力を有する。主スポット及び副スポットは、光ビームを主ビーム及び少なくとも１つの副ビームに分離することにより、及び光記録担体上で主ビームを主スポットに合焦させ副ビームを少なくとも１つの副スポットに合焦させることにより、形成される。提案された方法は、第１のカットオフ周波数を有する第１の平均回路で主スポット信号を処理する。副スポット信号は、第２のカットオフ周波数を有する第２の平均回路で処理される。第２のカットオフ周波数は、第１のカットオフ周波数より低い。【０００５】  以下に可変利得光検出回路を説明する。可変利得光検出回路は、主スポット信号及び副スポット信号を出力する出力を有する。主スポット及び副スポットは、光ビームを主ビーム及び少なくとも１つの副ビームに分離することにより、及び複数の記録速度で光記録担体にデータを記録している間に、光記録担体上で主ビームを主スポットに合焦させ副ビームを少なくとも１つの副スポットに合焦させることにより、形成される。可変利得光検出回路は、第１のカットオフ周波数で主スポット信号を処理する第１の平均回路を有する。可変利得光検出回路は、第２のカットオフ周波数で副スポット信号を処理する第２の平均回路を有する。第２のカットオフ周波数は、第１のカットオフ周波数より低い。【０００６】  本願明細書に記載されるディスク・ドライブでは、光学システムは光記録担体のトラックを走査する。光学システムは、光ビームを生成する光生成器、光ビームを主ビームと少なくとも１つの副ビームに分離するレンズ・システム、及び光記録担体上で主ビームを主スポットで合焦し副ビームを少なくとも１つの副スポットで合焦する合焦部、を有する。ディスク・ドライブは、先の段落で説明されたような可変利得光検出回路を有する。【０００７】  本発明のこれら及び他の態様、特徴及び利点は、単なる例である図面を参照した以下の記載により詳細に説明される。図中の同一の参照番号は、同一又は同様の部分を示す。
【発明を実施するための最良の形態】
【０００８】  図１は、光記録担体２（標準的にブルーレイ・ディスク）への情報の書き込みに適したディスク・ドライブ１（例えばブルーレイ・ドライブ）の一例を図示する。光記録媒体２を回転させるため、ディスク・ドライブ１はモーター４を有する。モーターは標準的に回転軸５を定める枠に固定されている。記録担体２を受け支持するために、スピンドル・モーター４がモーター４のスピンドル軸７に取り付けられている場合、ディスク・ドライブ１は回転台又は取付受け口６を有してよい。ディスク・ドライブ１は、一般的に光記録担体２にデータを記録／読み出すために用いられる。光記録担体２は、ＣＤ−Ｒ、ＣＤ−ＲＷ、ＤＶＤ＋ＲＷ、ＤＶＤ−ＲＷ、ＤＶＤ＋Ｒ、ＢＤ−ＲＥのような情報が格納又は記録される追記型（Ｒ）又は書き換え可能型（ＲＷ）の種類であってよい。【０００９】  ディスク・ドライブ１は、光ビームにより光記録担体２のトラックを走査する光学システム３０を更に有する。更に詳細には、光学システム３０は、光ビーム３２ａを生成する光生成器３１（例えば、レーザー・ダイオード）を有する。光ビーム３２ａは、ビーム・スプリッター３３及び対物レンズ３４を通過する。対物レンズ３４は、光記録担体２上に光ビーム３２ｂを合焦する。光ビーム３２ｂは、光記録担体２（反射光ビーム３２ｃ）から反射され、対物レンズ３４及びビーム・スプリッター３３を通過し（ビーム３２ｄ）、光検出器３５に達する。【００１０】  （光記録担体２上の）所望の場所の光ビーム３２ｂの適正な合焦を達成し維持するために、対物レンズ３４は軸方向に移動可能に取り付けられる。更に、ディスク・ドライブ１のアクチュエータ・システム４０は以下を有する。（１）対物レンズ３４の半径方向の位置を制御する半径方向アクチュエーター４１。（２）光記録担体２の記録基準面に対し、対物レンズ３４を軸方向に移動させるフォーカス・アクチュエーター４２。（３）光記録担体２に対し、対物レンズ３４を回転させる傾斜アクチュエーター４３。【００１１】  更に留意すべき点は、半径方向アクチュエーター４１、フォーカス・アクチュエーター４２、及び傾斜アクチュエーター４３は、１つの統合型３次元アクチュエーターとして実施されてよいことである。【００１２】  ディスク・ドライブ１は、制御回路９０を更に有する。制御回路９０は、モーター４の制御入力と結合された第１の出力９２、半径方向アクチュエーター４１の制御入力と結合された第２の出力９３、フォーカス・アクチュエーター４２の制御入力と結合された第３の出力９４、及び傾斜アクチュエーター４３の制御入力と結合された第４の出力９５を有する。制御回路９０は以下を生成する。（１）第１の出力９２でモーター４を制御する制御信号ＳＣＭ。（２）第２の出力９３で半径方向アクチュエーター４１を制御する制御信号ＳＣＲ。（３）第３の出力９４でフォーカス・アクチュエーター４２を制御する制御信号ＳＣＦ。（４）第４の出力９５で傾斜アクチュエーター４３を制御する制御信号ＳＣＴ。【００１３】  制御回路９０は、光検出器３５から読み出し信号ＳＲを受信する読み出し信号入力９１を更に有する。【００１４】  図２は、可変利得光検出回路３５（つまり、光検出器）が複数���検出器部分を有することを示す。この場合には、４個の検出部分３５ａ、３５ｂ、３５ｃ、及び３５ｄである。これらの検出部分は、それぞれ４個の検出器のそれぞれに入射する光の量を示す個々の検出信号Ａ、Ｂ、Ｃ、Ｄを供給可能である。中央線３７は、第１及び第４の部分３５ａ及び３５ｄを第２及び第３の部分３５ｂ及び３５ｃと分離する。更に、可変利得光検出回路３５は、各検出器部分（つまり、３５ｅ及び３５ｆ）に入射する光の量を示す個々の検出器信号Ｅ及びＦを供給する２つの検出器部分３５ｅ及び３５ｆを有する。更に、可変利得光検出回路３５は、各検出器部分（つまり、３５ｇ及び３５ｈ）に入射する光の量を示す個々の検出器信号Ｇ及びＨを供給する２つの検出器部分３５ｇ及び３５ｈを有する。図２は、制御回路９０の読み出し信号入力９１が、それぞれ個々の検出器信号Ａ、Ｂ、Ｃ、Ｄを受信する４個の入力９１ａ、９１ｂ、９１ｃ、９１ｄを有することを示す。更に、制御回路９０の読み出し信号入力９１は、それぞれ個々の検出器信号Ｅ、Ｆ、Ｇ、Ｈを受信する４個の入力９１ｅ、９１ｆ、９１ｇ、９１ｈを有する。当業者に明らかなように、データ及び制御情報は個々の検出器信号から導出される。例えば、データ信号（Data）、トラッキング信号（Tracking）、及びフォーカス・エラー信号（Focus）は、一般的に次のように与えられる。Data=(A+B+C+D)Tracking=[(A+D)-(B+C)]-k[(E+G)-(F+H)]ここで、ｋは増倍率である。Focus=(A+C)-(B+D)  プッシュプル方法及び３つのビーム方法は、一般的に光記録担体にデータを記録するサーボ・トラッキング方法として用いられている。当該方法の中で、差動プッシュプル方法が典型的である。【００１５】  図３Ａは、差動プッシュプル方法の原則を示す。光生成器３１により生成された光ビームは、主ビームと副ビームに分離される。光記録担体２上で、主ビームは主スポットＭに合焦され、副ビームは副スポットＳ１及びＳ２に合焦される。光学システムにより形成された３個の光ビーム・スポット（主スポットＭ、及び副スポットＳ１、Ｓ２）は、副スポットＳ１、Ｓ２が主スポットＭに対し、トラック・ピッチＰの半分だけシフトされるよう位置付けられる（図３Ａに示される）。更に、図３Ａに示されるように、光記録担体２上で、主スポットＭは光受信領域Ａ乃至Ｄにより形成され、副スポットＳ１は光受信領域Ｅ及びＦにより形成され、副スポットＳ２は光受信領域Ｇ及びＨにより形成される。主スポットＭ及び副スポットＳ１及びＳ２は、可変利得光検出回路３５により光電変換され、それによりスポットＭ、Ｓ１及びＳ２のプッシュプル信号が得られる。光電変換された信号は、ディスク・ドライブ１により必要とされる半径方向、フォーカス、及び傾斜制御信号のようなデータ及びサーボ信号を得るために用いられる。留意すべき点は、「主スポット」が中央スポット又は一次スポットを表し、「副スポット」が付随スポット又はサブ・スポット又は二次スポットを表すことである。更に、ディスク・ドライブ１の光学システム３０は、主スポットＭ及び副スポットＳ１とＳ２を形成するために実質的に変更されてよい。【００１６】  図３Ｂは、主スポットＭ及び副スポットＳ１とＳ２の一部を受信する光受信領域Ａ乃至Ｈを示す。反射されたビームは、光受信領域Ａ乃至Ｈ内で対応する電流に変換され、電流電圧変換部により電圧信号に更に変換される。構成数は、主スポットＭでは４、副スポットＳ１及びＳ２では４である。従って、図３Ｃに示されるように８つの電流電圧変換器３５ｐ乃至３５ｗがある。或いは、別の実施例では、スポットＳ１及びＳ２の光受信領域は、それぞれ４つの領域に分割され、全部で１２の領域が存在してもよい（つまり、１２セグメント合焦方法）。【００１７】  可変利得光検出回路３５の一例は、ＳＩＰＥＸの１０チャンネル光集積回路ＳＰ８０５９である。ＳＰ８０５９は、新たな世代のブルーレイ、ＤＶＤ、及びＣＤ製品のために設計されている。当該集積回路は、４０５、６５０、及び７８０ｎｍの波長で動作し、４倍速ブルーレイ読み出し／書き込み、１６倍速ＤＶＤ読み出し／書き込み、及び４８倍速ＣＤ読み出し／書き込みに適している。【００１８】  一般に、ディスク・ドライブ１では、光検出回路の主スポット及び副スポット出力信号は、光記録担体２にデータを記録している間にサンプリングされる。これは、書き込み中に適切な瞬間に、例えばＣＤ−Ｒ媒体でバイアス・レベル（読み出しレベル）の終わりに、検出された信号をサンプリングする。一般に、サンプリング方法に伴うは、サンプリングされた信号の高速処理を必要とすることである。書き込みパルスの後の遷移時間は、十分なラン長の数でサンプリングが可能なほど十分に短い。これは、光検出器の全ての８又は１２個のセグメント信号が高速処理を要求することを意味する。これは、光検出回路の電力消費を増大させる。【００１９】  従って、複数の記録速度で光記録担体にデータを記録している間に、可変利得光検出回路３５の電力消費を低減する方法が記載される。可変利得光検出回路は、主スポット信号及び少なくとも１つの副スポット信号を出力する出力を有する。主スポットＭ及び副スポットＳ１とＳ２は、光ビームを主ビーム及び少なくとも１つの副ビームに分離することにより、及び光記録担体２上で主ビームを主スポットＭに合焦させ副ビームを少なくとも１つの副スポットＳ１とＳ２に合焦させることにより、形成される。当該方法は、第１のカットオフ周波数を有する第１の平均回路１０００により主スポット信号を処理する段階、及び第２のカットオフ周波数を有する第２の平均回路２０００により副スポット信号を処理する段階、を有する。第２のカットオフ周波数は、第１のカットオフ周波数より低い。【００２０】  第１の平均回路１０００及び第２の平均回路２０００は図３Ｃに示される。第１の平均回路１０００及び第２の平均回路２０００は低域通過フィルター回路として実施されてよい。低域通過フィルター回路は、高速な変化を平滑化する（積分する）。これは、ゆっくりと変化する信号を妨げずに通過させる。【００２１】  第１の平均回路１０００は、第１のカットオフ周波数で動作し、以下を有する。（１）光受信領域Ａ乃至Ｄから形成された主スポット信号を平均する回路１０００ａ乃至１０００ｄ。【００２２】  第２の平均回路２０００は第２のカットオフ周波数で動作し、第２の平均回路２０００は第２のカットオフ周波数は第１のカットオフ周波数より低い。第２の平均回路２０００は以下を有する。（１）光受信領域Ｅ及びＦから形成された副スポット信号を平均する回路２０００ａ及び１０００ｂ。（２）光受信領域Ｇ及びＨから形成された副スポット信号を平均する回路２０００ｃ及び２０００ｄ。【００２３】  ある実施例では、第２の平均回路２０００（つまり、回路２０００ａ、２０００ｂ、２０００ｃ、及び２０００ｄ）はトランジスタを用いて実現される。これらのトランジスタは、低バイアス電流を印加することにより動作され、自動的に低帯域幅及び低電力消費を示唆する。バイアス電流は低く設定される。これは、対応する回路の電力消費を低減し、従って光検出回路の電力消費を低減する。副スポット信号からサーボ信号が検出される必要があるだけである。従って低帯域幅で十分である。例えば、主スポット信号は１００ＭＨｚの帯域幅を用いる。副スポット信号の帯域幅は、主スポット信号、例えば１ＭＨｚの帯域幅の一部分であってよい。【００２４】  更なる実施例では、第２の平均回路２０００（つまり、回路２０００ａ、２０００ｂ、２０００ｃ、及び２０００ｄ）は大面積トランジスタを用いて実現される。大面積トランジスタは、元来比較的低い帯域幅を有する。更に、大面積トランジスタは、相互に正確に整合するという利点を有する（つまり、副スポット信号Ｓ１を処理するために用いられる回路２０００ａ及び２０００ｂは、副スポット信号Ｓ２を処理するために用いられる回路２０００ｃ及び２０００ｄと整合される）。電流密度が低くそれにより単位面積当たりの電力消費が低減されるので、大面積トランジスタは低電流密度で動作される。従って光検出回路の電力消費は低減される。【００２５】  上述の実施例を用い、一般的に、１２セグメントに対し８セグメントを用いる１６倍速ＤＶＤの光検出集積回路で約１００乃至２００ｍＷの電力低減が可能である。【００２６】  当該方法は、主スポット信号及び副スポット信号の如何なるサンプリングも必要ない。４個の副スポットは、一般的に主スポット信号の帯域幅の一部分である帯域幅を有してよい。副スポット信号を処理するための帯域幅は、サーボ目的のためだけに必要な値まで低減される。例えば１ＭＨｚの帯域幅で既に十分である。或いは、１６倍速ＤＶＤでのサンプリングを可能にするために１００乃至１５０ＭＨｚの帯域幅が必要とされる。【００２７】  当該方法は、光記録担体２（例えば、ブルーレイ・ディスク、ＣＤ、ＤＶＤ）に複数のデータ記録速度でデータを記録する間に実行される。【００２８】  更に別の実施例では、光検出回路の利得値は、光記録担体２の種類及びデータ記録速度に基づき選択される。光記録担体（例えば、光ディスク）は、ＣＤ−Ｒ、ＣＤ−ＲＷ、ＤＶＤ＋Ｒ、ＤＶＤ＋ＲＷ、ＢＤ−ＲＥのような多くの種類（単相及び複層）として生産される。ディスク・ドライブ１は、これらの異なるディスクの種類に異なる記録速度、例えば１倍速、２倍速、．．．、８倍速などで対応しなければならない。光検出回路は、（ｉ）異なる種類の光ディスク、（ｉｉ）異なる記録速度、（ｉｉｉ）異なる反射率の値、に対応しなければならない。異なるディスク種類は、異なる材料からなり、トラックの幅及び深さの異なる物理的特性を有し、異なる反射率の値を有し、反射光の量はこれらの異なるディスク種類の間で変化する。従って、光検出回路はある範囲の利得値を許容する。ディスク種類、書き込み速度、及びデータ書き込み条件の変化に基づき利得値を適切に選択することは、検出器信号が一般的に決して飽和しないことを保証する。【００２９】  更なる実施例では、主スポット信号及び副スポット信号は正規化される。正規化は、ウォブル信号及びサーボ信号のような処理後の信号の振幅が、読み出しと書き込みの遷移時に有意に変化しないので、有利である。正規化は、一般的に、スポット内の総パワーを表す和信号により出力信号を除算することにより達成される。【００３０】  一般に、市販の光検出集積回路は、主スポット信号を出力するための高速チャンネル、及び副スポット信号を出力するための低速チャンネルを有する。開示された方法は、一般的に、光検出回路の高速チャンネルの数を低減し、実質的な電力低減を達成する。光検出回路は、第１のカットオフ周波数を用い主スポット信号を処理する第１の平均回路１０００、及び第１のカットオフ周波数より低い第２のカットオフ周波数を用い副スポット信号を処理する第２の平均回路２０００、を有する。【００３１】  ある実施例では、第２の平均回路２０００は、低バイアス電流により動作可能なトランジスタを用いて実現される。【００３２】  更なる実施例では、第２の平均回路２０００は大面積トランジスタを用いて実現される。【００３３】  更に、ディスク・ドライブ１は、前述の実施例で説明されたような可変利得光検出回路３５を有する。ディスク・ドライブ１は、データを記録可能なブルーレイ・ドライブ、ＣＤドライブ、又はＤＶＤドライブであってよい。【００３４】  一般に、ディスク・ドライブ１では、光検出集積回路からの主スポット及び副スポット出力信号は、光記録担体２にデータを記録している間にサンプリングされる。これは、書き込み中に適切な瞬間に、例えばＣＤ−Ｒ媒体でバイアス・レベル（読み出しレベル）の終わりに、検出された信号をサンプリングする。サンプリングの利点は、サンプリング後の信号範囲が平均後の範囲より非常に狭いことである。例えば、ＣＤ−Ｒの例では、書き込み中にサンプルされたレベルは、読み出し中のレベルと同様である。従って、読み出しから書き込みモードへ又はその逆に切り替えるときに、多くの切り替えが不要である。従って、一般的に光ドライブは、サンプリング方法を用いる。前述のように、サンプリング方法は、サンプリングされた信号の高速処理、従って高速回路を必要とする。高速回路は、光検出回路の電力消費を増大させる。光検出回路の電力消費を低減し低速回路を必要とする実施例が開示された。【００３５】  高速回路（つまり、サンプリングを用い、より多くの電力を消費する回路）及び低速回路（つまり、実施例で開示された平均化を用い、電力消費を低減する回路）の両方を有する可変利得光検出回路が可能である。このような場合には、アプリケーションが何れを用いるか（つまり、高速回路か低速回路か）を決定しなければならない。更に、用いられていない回路は、一般にディスエーブルされる。【００３６】  基本的に、副スポット信号からサーボ信号が検出される必要があるだけである。従って低��域幅で副スポット信号を処理するのに十分である。平均化方法を、全てのディスクで、及び全ての速度で、データを光記録担体に記録する間に用いる。これは、高速サンプリングが必要ないことを示唆する。主スポット信号は、第１のカットオフ周波数を有する第１の平均回路で処理される。副スポット信号は、第２のカットオフ周波数を有する第２の平均回路で処理される。第２のカットオフ周波数は、第１のカットオフ周波数より低い。副スポット信号を処理する第２の平均回路は低帯域幅を有し、低バイアス電流を用い、それにより光検出回路の電力消費を低減する。【００３７】  本発明は、８セグメント光検出回路を用いた実施例により説明されたが、１２セグメント光検出回路にも適用可能である。上述の実施例では、ディスク・ドライブはデータの記録が可能である。しかしながら、ディスク・ドライブは、記録、再生、及び消去動作の中から少なくとも１つの動作を実行してよい。当業者は、本方法の記載された実施例をソフトウェア又はハードウェアとソフトウェアの両方で実施しうる。開示された実施例の他の変形は、図面、詳細な説明、及び請求項を読むことにより、当業者に理解され請求項に記載された発明を実施する際に実施されうる。「有する」の語及びその活用の使用は、請求項又は詳細な説明に記載された以外の構成要素又は段階の存在を排除するものではない。要素又は段階に付される単数表記の語の使用は、当該要素又は段階の複数の存在を排除するものではない。請求項の参照符号は、請求項を制限すると見なされるべきではない。図面及び詳細な説明は説明のためであり、本発明を限定するものではない。【００３８】  纏めると、可変利得光検出回路の電力消費を低減する方法が記載される。可変利得光検出回路は、主スポット信号及び少なくとも１つの副スポット信号を出力する出力を有する。主スポットＭ及び副スポットＳ１とＳ２は、光ビームを主ビーム及び少なくとも１つの副ビームに分離することにより、及び光記録担体２上で主ビームを主スポットＭに合焦させ副ビームを少なくとも１つの副スポットＳ１とＳ２に合焦させることにより、形成される。提案された方法は、第１のカットオフ周波数を有する第１の平均回路で主スポット信号を処理する。副スポット信号は、第２のカットオフ周波数を有する第２の平均回路で処理される。第２のカットオフ周波数は、第１のカットオフ周波数より低い。
【図面の簡単な説明】
【００３９】
【図１】ディスク・ドライブを図示する。
【図２】可変利得光検出回路の例を示すブロック図である。
【図３Ａ】差動プッシュプル方法で、主スポットと副スポットとの間の位置関係を説明する。
【図３Ｂ】差動プッシュプル方法で、主スポットと副スポットとの間の位置関係を説明する。
【図３Ｃ】差動プッシュプル方法で、主スポットと副スポットとの間の位置関係を説明する。
【図１】
0005486302.tif 000002
【図２】
0005486302.tif 000003
【図３Ａ】
0005486302.tif 000004
【図３Ｂ】
0005486302.tif 000005
【図３Ｃ】
0005486302.tif 000006